(57)【要約】【課題】バリアフリーに対応し、既存のサッシに対しても適用可能なシャッター枠を提供する。【解決手段】建物開口部に設けられた下枠１０上面が略平坦な枠体１の周囲に、上下外枠５０、４０及び左右の縦外枠６０、６０を枠組みした外枠体７を設け、外枠体７の上外枠５０にシャッター８２を収納するシャッター枠において、下外枠４０にはその上部に上面７０ａが略平坦なアタッチメント材７０を長手方向略全長に渡って設け、アタッチメント材７０の上面７０ａは枠体１の下枠１０上面と略同じ高さとされてなる。また、下外枠４０にはその上面に下地材７７を設け、この下地材７７に対してアタッチメント材７０を取付ける。【選択図】図１
2006028966.tif 000002
【特許請求の範囲】
【請求項１】
建物開口部に設けられた下枠上面が略平坦な枠体の周囲に、上下外枠及び左右の縦外枠を枠組みした外枠体を設け、該外枠体の上外枠にシャッターを収納するシャッター枠において、
上記下外枠にはその上部に上面が略平坦なアタッチメント材を長手方向略全長に渡って設け、該アタッチメント材の上面は上記枠体の下枠上面と略同じ高さとされてなることを特徴とするシャッター枠。
【請求項２】
上記下外枠にはその上面に下地材を設け、該下地材に対して上記アタッチメント材を取付けることを特徴とする請求項１記載のシャッター枠。
【請求項３】
上記下地材は長手方向複数部材からなり、各部材は互いに離隔するように上記下外枠の上面に配置することを特徴とする請求項２記載のシャッター枠。
【請求項４】
上記下地材は室外側端部に上記下外枠の室外面に当接する当接片を備えると共に、室内側端部に上記アタッチメント材に嵌合する嵌合片を備えることを特徴とする請求項２または３記載のシャッター枠。
【請求項５】
上記アタッチメント材は室外側端部に上記下外枠の室外面に固着される固定部を備えると共に、室内側端部に上記下地材の嵌合片に嵌合する嵌合部を備えることを特徴とする請求項４記載のシャッター枠。
【請求項６】
上記アタッチメント材は上面の一部または上面と略同じ高さである補助面を備えたスライド部を有し、該スライド部は上記アタッチメント材に対し室内外方向にスライド自在とされて、上記アタッチメント材の上面を上記補助面により室内外方向に伸張させることを特徴とする請求項１〜５のいずれか１項に記載のシャッター枠。
【発明の詳細な説明】
【技術分野】
【０００１】
本発明は下枠が略平坦なサッシの外側に設けられシャッターを収納して引出自在とするシャッター枠に関し、特に室内側から室外側の全長にわたって敷居面を略同じ高さとすることのできるシャッター枠に関する。
に関する。
【背景技術】
【０００２】
従来、建物の出入口等に設けられる引き違い障子を納めたサッシにおいて、下枠に設けられる障子用のレールを室内側の床面と略同じ高さにして、車椅子でサッシの下枠上を室内外方向に通過しやすくしたものが知られている。これは、レールの高さを略揃えていることにより、車椅子の車輪が比較的上下動することなくレール間を通過することができるようにしたものである。このような下枠フラットサッシとしては例えば特許文献１に示すようなものがある。
【特許文献１】特開平９−１５８６３１号公報
【発明の開示】
【発明が解決しようとする課題】
【０００３】
一方で、サッシの室外側で上下方向にシャッターを開閉できるように、上部にシャッターを引出自在に収納したシャッター枠を設けることがある。この場合には、下枠フラットサッシの見付方向外側に上下外枠と左右の縦外枠からなるシャッター枠を設け、その上外枠にシャッターを納める収納部を設ける。そして、シャッター枠の下外枠は内側のサッシよりも室外側見込方向に大きく突出してシャッターを引き出した際の受部を形成する。
【０００４】
このようにシャッター枠は下枠フラットサッシの見付方向外側に設けられるので、サッシの下枠とシャッター枠の下外枠との間には大きな段差が生じる。内側のサッシはバリアフリーに対応するため下枠を略平坦にしたにもかかわらず、シャッター枠との間に段差を生じると、その意味をなさなくなってしまう。したがって、バリアフリーに対応したシャッター枠が必要とされていた。
【０００５】
本発明は、上記問題点を解決すべくなされたものであり、バリアフリーに対応し、既存のサッシに対しても適用可能なシャッター枠を提供することを目的とする。
【課題を解決するための手段】
【０００６】
上記課題を解決するため、本発明に係るシャッター枠は、建物開口部に設けられた下枠上面が略平坦な枠体の周囲に、上下外枠及び左右の縦外枠を枠組みした外枠体を設け、該外枠体の上外枠にシャッターを収納するシャッター枠において、
上記下外枠にはその上部に上面が略平坦なアタッチメント材を長手方向略全長に渡って設け、該アタッチメント材の上面は上記枠体の下枠上面と略同じ高さとされてなることを特徴として構成されている。
【０００７】
また、本発明に係るシャッター枠は、上記下外枠にはその上面に下地材を設け、該下地材に対して上記アタッチメント材を取付けることを特徴として構成されている。
【０００８】
さらに、本発明に係るシャッター枠は、上記下地材は長手方向複数部材からなり、各部材は互いに離隔するように上記下外枠の上面に配置することを特徴として構成されている。
【０００９】
さらにまた、本発明に係るシャッター枠は、上記下地材は室外側端部に上記下外枠の室外面に当接する当接片を備えると共に、室内側端部に上記アタッチメント材に嵌合する嵌合片を備えることを特徴として構成されている。
【００１０】
そして、本発明に係るシャッター枠は、上記アタッチメント材は室外側端部に上記下外枠の室外面に固着される固定部を備えると共に、室内側端部に上記下地材の嵌合片に嵌合する嵌合部を備えることを特徴として構成されている。
【００１１】
また、本発明に係るシャッター枠は、上記アタッチメント材は上面の一部または上面と略同じ高さである補助面を備えたスライド部を有し、該スライド部は上記アタッチメント材に対し室内外方向にスライド自在とされて、上記アタッチメント材の上面を上記補助面により室内外方向に伸張させることを特徴として構成されている。
【発明の効果】
【００１２】
本発明に係るシャッター枠によれば、下外枠にはその上部に上面が略平坦なアタッチメント材を長手方向略全長に渡って設け、その上面はサッシ枠体の下枠上面と略同じ高さとされてなることにより、室内側から室外側に渡って敷居面の上面を略同じ高さとすることができるので、サッシをバリアフリー化することができる。特に、既存のサッシに後付でシャッター枠を設ける場合にアタッチメント材を下外枠に取付けるだけで容易にバリアフリー化することができる。
【００１３】
また、本発明に係るシャッター枠によれば、下外枠にはその上面に下地材を設け、それに対してアタッチメント材を取付けることにより、サッシ下枠と下外枠の間の段差が大きい場合でも、アタッチメント材を下外枠に対して容易に取付けることができ、またアタッチメント材の製作も容易となる。
【００１４】
さらに、本発明に係るシャッター枠によれば、下地材は長手方向複数部材からなり、各部材は互いに離隔するように下外枠の上面に配置することにより、各下地材の間の隙間からサッシ及びシャッター枠に浸入した水を排水することができる。
【００１５】
さらにまた、本発明に係るシャッター枠によれば、下地材は室外側端部に下外枠の室外面に当接する当接片を備えると共に、室内側端部にアタッチメント材に嵌合する嵌合片を備えることにより、下地材の位置決めを下外枠の室外面でなすことができるので、下地材の取付作業を容易にすることができる。
【００１６】
そして、本発明に係るシャッター枠によれば、アタッチメント材は室外側端部に下外枠の室外面に固着される固定部を備えると共に、室内側端部に下地材の嵌合片に嵌合する嵌合部を備えることにより、アタッチメント材の位置決めを下外枠の室外面でなし、下地材に対しては嵌合で容易に固定することができるので、アタッチメント材の取付作業を容易にすることができる。
【００１７】
また、本発明に係るシャッター枠によれば、アタッチメント材は上面の一部または上面と略同じ高さである補助面を備えたスライド部を有し、スライド部はアタッチメント材に対し室内外方向にスライド自在とされて、アタッチメント材の上面を補助面により室内外方向に伸張させることにより、サッシの下枠とアタッチメント材との隙間の大きさに合わせて、アタッチメント材の上面を伸張させることができるので、敷居面の隙間を極力小さくすることができ、バリアフリー化をより高めることができる。また、サッシの下枠とアタッチメント材との隙間の大きさに応じて上面を伸張させることができるので、外装材の厚さの違いによる様々な施工場所に１種類の部材で対応させることができ、コストダウンを図ることができる。
【発明を実施するための最良の形態】
【００１８】
本発明の実施形態について、図面に沿って詳細に説明する。図１は本実施形態におけるシャッター枠及びその内側のサッシを示した縦断面図である。また、図２は本実施形態におけるシャッター枠及びその内側のサッシを示した横断面図である。これら各図に示すように、本実施形態におけるシャッター枠は、建物開口部に設けられた枠体１の周囲に、下外枠４０と上外枠５０及び左右の縦外枠６０、６０を枠組みした外枠体７を設け、この外枠体７の上外枠５０にシャッター８２を収納する収納部８０を設けてなるものである。
【００１９】
まず、建物開口部に設けられるサッシについて簡単に説明する。このサッシは、図１及び図２に示すように、建物開口部に装着された下枠１０、上枠２０、及び左右の縦枠３０、３０からなる枠体１内に、内障子２及び外障子３を引違い状に走行自在に納めると共に、外障子３の室外側に網戸４を納めてなるものである。
【００２０】
下枠１０の下端部であって室内外方向の中間位置には、突出した板状のフィン部１１が形成されており、このフィン部１１が建物開口部に当接し、ねじ１１ａにより固着される。上枠２０にも上部にフィン部２１が形成され、ねじ２１ａにより建物開口部に固着される。さらに、縦枠３０には側方に突出するフィン部３１が形成され、ねじ３１ａにより建物開口部に固着される。このように、本実施形態のサッシは、建物開口部に対し室内外方向中間位置にて固定される半外付けサッシである。
【００２１】
枠体１を構成する各枠材は、複合型の枠材であり、ベースとなる金属部材とその室内側露出部分を覆う樹脂部材とから構成されている。内障子２と外障子３も、枠体１と同様に金属部材とその室内側露出部分を略覆うように取付けられた樹脂部材とから構成されている。
【００２２】
なお、枠体１と内障子２及び外障子３の金属部材は通常アルミの押出し型材にて成型され、また枠体１と内障子２及び外障子３の樹脂部材は塩化ビニルやアクリル樹脂等から成型される。このように樹脂部材にて金属部材の室内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００２３】
また、図１に示すように、下枠１０の室内側は、室内側床材５と連結されている。下枠１０の室外側には、所定の距離を隔てて室外側床材６が設けられている。室内側床材５と室外側床材６は、上面が略同じ高さとなるように配置されている。
【００２４】
下枠１０は、図１に示すように各障子を案内するためのレールを室内側から順に内レール１３、外レール１４、網戸レール１５と突出状に有している。内レール１３と外レール１４及び網戸レール１５の上端は、それぞれ室内側床材５の上面と略同じ高さとなるように形成されている。すなわち、枠体１は下枠１０の上面を略平坦となるように形成した下枠フラットサッシとされる。
【００２５】
次に、本実施形態のシャッター枠について説明する。外枠体７を構成する上外枠５０は、サッシの上枠２０よりも外側に取付けられ、室外側に大きく張り出すように形成されている。上外枠５０の室内側端部には、上部と下部にそれぞれフィン状の上取付部５１と下取付部５２が形成されている。下取付部５２は、サッシの上枠２０のフィン部２１に重なるように配置し、かつ建物躯体に当接させて、ねじ５２ａにより固定する。上取付部５１は、建物躯体に当接させてねじ５１ａにより固定する。
【００２６】
また、上外枠５０の内部は、シャッター８２を納める収納部８０を構成する。収納部８０は、上外枠５０の室外側面を覆うようにカバー部８４が設けられており、カバー部８４及び上外枠５０により形成される空間に巻取部８１を納めている。この巻取部８１にシャッター８２を巻き取り状に収納している。シャッター８２の端部には下端部８３が取付けてあり、この下端部８３を持って下方に押し下げることにより、巻取部８１のシャッター８２が収納部８０から順次繰り出される。
【００２７】
外枠体７を構成する下外枠４０は、サッシの下枠１０よりも外側に取付けられ、断面中空状であって、また上外枠５０と同様に室外側に大きく張り出すように形成されている。下外枠４０の室内側端部には、フィン状の上取付部４１と下取付部４２が形成されており、上取付部４１をサッシの下枠１０のフィン部１１に重なるように配置し、かつ建物躯体に当接させて、ねじ４１ａにより固定し、下取付部４２を建物躯体に当接させて、ねじ４２ａにより固定する。
【００２８】
このように下外枠４０はサッシの下枠１０よりも外側に取付けられるために、下外枠４０の上面はサッシの下枠１０の上面よりも下方に位置することとなり、室外側床材６からみても下方に位置する。これにより大きな段差を生じることとなるために、本実施形態においては下外枠４０の上部にアタッチメント材７０を設けて、敷居面が略同じ高さとなるようにしている。その詳細については後述する。
【００２９】
外枠体７を構成する縦外枠６０は、サッシの縦枠３０よりも外側に取付けられ、断面中空状であって、また上外枠５０や下外枠４０と同様に室外側に大きく張り出すように形成されている。縦外枠６０の室内側端部には、フィン状の取付部６１が形成されており、取付部６１をサッシの縦枠３０のフィン部３１に重なるように配置し、かつ建物躯体に当接させて、ねじ６１ａにより固定する。そして、これら下外枠４０と上外枠５０及び縦外枠６０のさらに外側にはシーリング材を介して外壁８が配置される。
【００３０】
外枠体７を構成する下外枠４０と上外枠５０及び縦外枠６０は、これまで説明したようにいずれもフィン状の取付部４１、５２、６１をサッシの建物開口部に対する取付部であるフィン部１１、２１、３１と重なるように配置している。そこで、フィン部１１、２１、３１の建物開口部に対する固定のためのねじ１１ａ、２１ａ、３１ａをそれぞれ反対方向に取付けることにより、各枠の製造を行う工場等であらかじめサッシの枠体１に対して外枠体７を取付固定しておくことができ、サッシ取付の現場における作業を簡易化することができる。
【００３１】
次に、下外枠４０に取付けるアタッチメント材７０について説明する。図３には図１の下部拡大図を示す。この図に示すように、下外枠４０には上面に下地材７７が取付けられ、その上方にアタッチメント材７０が取付けられる。
【００３２】
下地材７７は、アルミの押出型材からなるものであって、室内側に中空部分を有し、室内側上端部にアタッチメント材７０を嵌合するための嵌合片７９を備えている。また、中空部分よりも室外側は、下外枠４０の上面に略適合する形状に形成されており、室外側端部は下外枠４０の室外面に当接する当接片７８を備えている。下地材７７は、当接片７８を下外枠４０の室外面に当接させることで位置決めすると共に、室内外中間位置の適所で下外枠４０の上面に対してねじ止めされる。
【００３３】
アタッチメント材７０は、断面中空状のアルミの押出型材からなり、下外枠４０の長手方向略全長にわたって設けられる。アタッチメント材７０は、その下部において、下外枠４０及び下地材７７に対して固定される。アタッチメント材７０の室外側端部には下地材７７の室外面に当接する固定部７３が形成され、室内側端部には下地材７７の嵌合片７９に嵌合する嵌合部７２が形成されている。アタッチメント材７０の固定部７３に対しては、室外側から下地材７７の当接片７８を介して下外枠４０に対してねじ止めがなされる。
【００３４】
アタッチメント材７０の上面７０ａは、略平面状に形成され、その高さはサッシの下枠１０の内レール１３や外レール１４の上端と略同じ高さとされている。すなわち、下外枠４０にアタッチメント材７０を設けたことにより、サッシの枠体１及びシャッター枠である外枠体７の敷居面を室内側から室外側にかけて室内側床材５及び室外側床材６の上面と略同じ高さとして、バリアフリー化を図ることができる。なお、アタッチメント材７０の上面７０ａにおける室外側端部は、シャッター８２を最も下方まで引き出した際にその下端部８３が当接する当接部７１を構成する。
【００３５】
図４には、外枠体７に対する下地材７７及びアタッチメント材７０の取付けを示した斜視図を示す。この図に示すように、下外枠４０と上外枠５０及び左右の縦外枠６０、６０が方形状に枠組みされ、上外枠５０の上部には収納部８０が設けられた外枠体７に対して、その下外枠４０上部に下地材７７及びアタッチメント材７０を取付固定する。
【００３６】
アタッチメント材７０は下外枠４０の長手方向略全長に渡る長さを有しているのに対し、下地材７７は二部材からなり、各部材は互いに離隔するように配置される。また、各下地材７７、７７は、縦外枠６０からも離隔するように配置される。したがって、各下地材７７、７７の間及び縦外枠６０との間には隙間を生じる。下地材７７がこのように下外枠４０に対して配置されることにより、サッシの枠体１や外枠体７に浸入した水が下地材７７により形成される隙間から室外側に流れやすくなり、排水性のよいシャッター枠とすることができる。
【００３７】
次に、本発明の第２の実施形態について説明する。図５には、本実施形態におけるシャッター枠及びその内側のサッシを示した縦断面図である。本実施形態において建物開口部に設けられる内側のサッシは、第１の実施形態のサッシと同じ構造を有している。サッシの枠体１の外側に設けられる外枠体７も基本的な構造は同じであるが、第１の実施形態とは異なり、建物躯体の外面を構成する外壁８に対して固定がなされる。そのため外枠体７は、建物躯体に対して固定される第１の実施形態の外枠体７よりも室外側に偏って配置される。
【００３８】
外枠体７が下外枠４０と上外枠５０及び縦外枠６０を枠組みして構成されること及び上外枠５０の内部にシャッター８２の収納部８０を設けることについても、第１の実施形態と同様である。そして、下外枠４０の上面には下地材７７及びアタッチメント材７０が設けられる。ここで、アタッチメント材７０は下外枠４０の室外側に取付けられ、上述のように下外枠４０は第１の実施形態の場合と比べて室外側に偏って配置されているので、そのままではアタッチメント材７０とサッシの下枠１０の間に大きな隙間が生じる。
【００３９】
第２の実施形態では、サッシの下枠１０とアタッチメント材７０の間の隙間を調整するために、アタッチメント材７０にスライド部７４を設け、アタッチメント材７０の上面を伸張させることができるようにしている。図６には、第２の実施形態におけるアタッチメント材７０の縦断面図を示している。この図に示すように、アタッチメント材７０の内部には、上面７０ａと略同じ高さの補助面７５を有したスライド部７４が納められており、このスライド部７４を室内側にスライドさせることにより補助面７５が引き出され、それによってサッシの下枠１０とアタッチメント材７０の間の隙間を小さくすることができる。
【００４０】
図７には、スライド部７４をスライドさせた状態のアタッチメント材７０の断面図を示している。アタッチメント材７０とスライド部７４は、いずれも当接面に多数の溝を形成した溝部７６、７６を有し、これら各溝部７６、７６を噛合することでスライド部７４を所定位置に固定している。スライド部７４は、室内側にスライドさせた分だけ補助面７５を露出させ、アタッチメント材７０の上面７０ａを室内側に延長する。
【００４１】
図８には、第２の実施形態のシャッター枠に用いることのできるスライド部７４を有したアタッチメント材７０の別の形態を示している。この図に示すアタッチメント材７０では、スライド部７４がアタッチメント材７０の内部に納められているのではなく、アタッチメント材７０の上面７０ａの一部を構成するように、その上面が常に露出した状態とされている。
【００４２】
アタッチメント材７０は段状に形成されて各水平部分にそれぞれ溝部７６、７６が形成される。それら各溝部７６、７６に対してスライド部７４の溝部７６、７６がそれぞれ噛合する。この形態では、スライド部７４はアタッチメント材７０の上部に戴置された状態であるので、スライド部７４はアタッチメント材７０に対してねじ止めがなされ、固定される。
【００４３】
図９には、スライド部７４をスライドさせた状態を示している。図９に示すようにこの形態では、スライド部７４を室内側にスライドさせた分だけ補助面７５が室内側に移動すると共に、アタッチメント材７０の溝部７６が露出して、アタッチメント材７０の上面７０ａ全体を延長する。また、スライドさせた位置において、スライド部７４をアタッチメント材７０に対してねじ止めする。
【００４４】
また、第２の実施形態では、上述のように外枠体７を建物の外壁８に対して取付けている。そのため外枠体７の固定部分が外壁８によって覆われることなく室外側に露出する。そこで、その意匠性の確保及び水の浸入を防ぐために、以下に説明する取付構造とした。図１０には、上外枠５０の建物躯体に対する取付構造を示している。
【００４５】
上外枠５０の下取付部５２については、外壁８に当接させた上でねじ５２ａによってねじ止めし、固着する。一方、室外側に露出する上取付部５１については、外壁８に当接させた上で化粧カバー下地材９１を取付け、ねじ５１ａによってねじ止めし、固着する。さらに、化粧カバー下地材９１に対し外側から化粧カバー９０を取付けて、ねじ５１ａによる固定部分を覆う。これにより、ねじ５１ａによる固定部分を室外側から見て隠すことができ、シャッター枠の意匠性を向上させることができる。
【００４６】
化粧カバー９０は、化粧カバー下地材９１に対して係合により固定される。また、その係合部分から上方に突出した突出部９０ａを有している。図５には、化粧カバー９０を取付けた状態が示されており、化粧カバー９０の突出部９０ａと化粧カバー下地材９１の上面及び外壁８によって断面凹状の領域が形成され、この領域にシーリング材９２を設けることで、外枠体７の水密性を確保している。
【００４７】
図１０では上外枠５０の固定構造について示したが、下外枠４０や縦外枠６０についても同様に化粧カバー下地材９１や化粧カバー９０及びシーリング材９２が設けられる。図１１には外枠体７に対する化粧カバー９０の取付けの分解斜視図を示している。この図に示すように、下外枠４０と上外枠５０及び左右の縦外枠６０、６０を枠組みした外枠体７に対して、四周に渡って化粧カバー下地材９１を取付け、外枠体７を介して建物躯体に対しねじ止めする。さらにその固定部分を覆うように化粧カバー９０を取付けた上で、シーリング材９２を設けて外枠体７の外壁８に対する取付けを完了する。
【００４８】
第２の実施形態のように外壁８に対して外枠体７を取付けるようにすることにより、後付でシャッター枠を設ける場合にも、外壁８に対する加工が必要ないので、その取付作業を容易に行うことができる。
【００４９】
以上、本発明の実施形態について説明したが、本発明の適用はこれら実施形態には限られず、その技術的思想の範囲内において様々に適用されうるものである。例えば、第１及び第２の実施形態では、内側のサッシは金属部材と樹脂部材からなる複合窓としたが、金属部材のみあるいは樹脂部材のみからなる窓であってもよい。
【図面の簡単な説明】
【００５０】
【図１】本実施形態におけるシャッター枠をサッシの周囲に取付けた縦断面図である。
【図２】図１の横断面図である。
【図３】図１の下部拡大図である。
【図４】外枠体に対する下地材及びアタッチメント材の取付けを示した斜視図である。
【図５】第２の実施形態におけるシャッター枠をサッシの周囲に取付けた縦断面図である。
【図６】第２の実施形態におけるアタッチメント材の構造を示した縦断面図である。
【図７】図６のアタッチメント材をスライドさせた状態を示した縦断面図である。
【図８】アタッチメント材の他の形態を示した縦断面図である。
【図９】図８のアタッチメント材をスライドさせた状態を示した縦断面図である。
【図１０】上外枠の建物躯体に対する取付構造を示した縦断面図である。
【図１１】外枠体に対する化粧カバーの取付けを示した分解斜視図である。
【符号の説明】
【００５１】
１    枠体
５    室内側床材
６    室外側床材
７    外枠体
８    外壁
１０    下枠
１３    内レール
１４    外レール
１５    網戸レール
２０    上枠
３０    縦枠
４０    下外枠
５０    上外枠
６０    縦外枠
７０    アタッチメント材
７０ａ  上面
７２    嵌合部
７３    固定部
７４    スライド部
７５    補助面
７７    下地材
７８    当接片
７９    嵌合片
８０    収納部
８２    シャッター
９０    化粧カバー
９１    化粧カバー下地材
９２    シーリング材
【図１】
2006028966.tif 000003
【図２】
2006028966.tif 000004
【図３】
2006028966.tif 000005
【図４】
2006028966.tif 000006
【図５】
2006028966.tif 000007
【図６】
2006028966.tif 000008
【図７】
2006028966.tif 000009
【図８】
2006028966.tif 000010
【図９】
2006028966.tif 000011
【図１０】
2006028966.tif 000012
【図１１】
2006028966.tif 000013